(57)【特許請求の範囲】
【請求項１】
光源と、形状を制御可能であって前記光源から発せられた照明光を反射する反射面を有し、前記照明光に波面変換を与える波面変換素子と、該波面変換素子から発せられた前記波面変換後の光束を走査する光走査手段と、該光走査手段によって偏向した光束を集光して光スポットを形成する対物レンズと、試料から発せられた信号光を検出する検出器とを備え、前記波面変換素子によって前記波面変換を行なうことで、前記光スポットを前記対物レンズの光軸方向に沿って移動させる走査型光学顕微鏡において、
前記対物レンズの光軸からの前記試料のずれを所定の方向を基準として表した前記試料の物体高を、前記対物レンズの設計時における物体側焦点位置である基準位置に対して前記光軸方向の所定の位置において、０より大きく０．０７以下の値であるｈに対して、−ｈ、０、ｈ（ｍｍ）としたときの各物体高における波面収差が最小となるように前記反射面の形状をそれぞれ最適化し、
前記物体高が、−ｈからｈまでの物体高参照値であるときの前記試料の画像を得るときには、前記反射面の形状を、前記物体高に対して最適されたいずれかの前記反射面の形状であって前記物体高参照値に対するＳｔｒｅｈｌ比が所定の値以上となる形状にすることを特徴とする走査型光学顕微鏡。
【請求項２】
前記物体高が−ｈからｈまでの範囲において、Ｓｔｒｅｈｌ比が８０％以上である画像を取得することを特徴とする請求項１に記載の走査型光学顕微鏡。
【発明の詳細な説明】
【技術分野】
【０００１】
本発明は、走査型光学顕微鏡に関するものである。
【背景技術】
【０００２】
従来、例えば、レーザー走査型顕微鏡（以下、ＬＳＭという。）において、標本の三次元像を得るためには、標本または対物レンズを機械的に光軸方向に移動させて、標本内部の各面における光学像を順次取り込んでいく必要があった。しかし、この方法は機械的駆動を必要とするために、位置制御を高い精度と再現性で実現することは困難である。また、標本を移動させる方法においては、標本が大きい場合には高速走査ができない等の問題があった。
【０００３】
さらに、生体標本を観察する際に、標本を培養液に浸した状態で対物レンズを走査すると、その振動による悪影響を観察する標本に与えることになり、好ましくない。
【０００４】
これらの問題点を解決する方法として、アダプティブ光学装置がある（例えば、特許文献１参照。）。
【０００５】
このアダプティブ光学装置は、光学的パワー（屈折力）を変化させることのできる光学素子（波面変換素子）を備えた顕微鏡である。図２０および図２１に、その構成図を示す。このアダプティブ光学装置は、観察光路および／または照明光路内に波面変換素子を有し、その波面変換素子を用いて光学系の焦点距離を変化させると共に、この焦点距離変化に伴って生じる収差も補正するものである。
【０００６】
こうすることによって、対物レンズと標本との距離を変更することなく、物体空間内での焦点の形成と移動、さらに、収差補正を行うことができる。
【特許文献１】特開平１１−１０１９４２号公報（第３，５頁、図１ｂ，７）
【発明の開示】
【発明が解決しようとする課題】
【０００７】
しかしながら、上記の従来技術においては次のような不都合が生じる。それは、物体空間内で焦点移動を行い、さらに収差補正を行う場合に、軸上収差を補正するように波面変換素子を調整すると、軸外収差が悪化してしまうという不都合である。本来、対物レンズは、物体が所定の位置にあるときは軸外の光束に対しても、収差が補正されている。そのため、この所定の位置にある物体からの光束については、軸上と軸外の光束に対して収差が補正されている。しかし、焦点の移動が行われると、その移動量に応じて軸上の収差と軸外の収差に違いが大きくなる。そのために、軸上収差のみを補正するように波面変換素子を調整すると、軸外収差が十分に補正されていない状態になる。その結果、光軸から離れた位置つまり、物体高が高い所では本来の対物レンズと同じ性能を発揮できないことになる。
【０００８】
この発明は、上記課題を解決するためになされたものであり、その目的は軸外での性能劣化が少ない、波面変換素子を用いたＬＳＭ等の走査型光学顕微鏡を提供することにある。
【課題を解決するための手段】
【０００９】
上記目的を達成するために、この発明は以下の手段を提供している。
請求項１に係る発明は、光源と、形状を制御可能であって前記光源から発せられた照明光を反射する反射面を有し、前記照明光に波面変換を与える波面変換素子と、該波面変換素子から発せられた前記波面変換後の光束を走査する光走査手段と、該光走査手段によって偏向した光束を集光して光スポットを形成する対物レンズと、試料から発せられた信号光を検出する検出器とを備え、前記波面変換素子によって前記波面変換を行なうことで、前記光スポットを前記対物レンズの光軸方向に沿って移動させる走査型光学顕微鏡において、前記対物レンズの光軸からの前記試料のずれを所定の方向を基準として表した前記試料の物体高を、前記対物レンズの設計時における物体側焦点位置である基準位置に対して前記光軸方向の所定の位置において、０より大きく０．０７以下の値であるｈに対して、−ｈ、０、ｈ（ｍｍ）としたときの各物体高における波面収差が最小となるように前記反射面の形状をそれぞれ最適化し、前記物体高が、−ｈからｈまでの物体高参照値であるときの前記試料の画像を得るときには、前記反射面の形状を、前記物体高に対して最適されたいずれかの前記反射面の形状であって前記物体高参照値に対するＳｔｒｅｈｌ比が所定の値以上となる形状にする走査型光学顕微鏡を提供する。
【００１０】
この発明によれば、光源から発せられた照明光が波面変換素子に照射された際に、照明光に波面変換が与えられる。これにより、光束の波面収差を調整することができる。
【００１１】
請求項２に係る発明は、請求項１記載の走査型光学顕微鏡において、前記物体高が−ｈからｈまでの範囲において、Ｓｔｒｅｈｌ比が８０％以上である画像を取得する走査型光学顕微鏡を提供する。
【発明の効果】
【００１３】
本発明によれば、光走査手段による走査箇所に応じた収差の補正を波面変換素子によって行わせることにより、光軸上のみならず光軸外においても適正な収差の補正を行うことができるという効果を奏する。
【発明を実施するための最良の形態】
【００１４】
以下に本発明の実施形態を示す。なお、説明に用いる図中において、繰り返し用いられる同一の要素には同一の記号を付し、重複する説明は行わない。また、光束が入射してくる方向を前側、出射していく方向を後側とし、光源１としてレーザー発振器を用いたＬＳＭを用いて説明する。
【００１５】
（第１の実施形態）
図１〜図６を用いて、本発明の第１実施形態に係る走査型光学顕微鏡を説明する。
本実施形態に係る走査型光学顕微鏡は、図１に示されるように、レーザ光源１１と、該レーザ光源１１から発せられた照明光に任意の波面変換を与える形状可変ミラー（波面変換素子）２２と、該形状可変ミラー２２から発せられた波面変換後の照明光を光軸に直行する方向に偏向して走査する光束走査手段（光走査手段）３と、該光束走査手段３によって偏向された光束を試料に集光する対物レンズ４と、該試料から発せられた信号光を検出する検出器５３とを備えている。
【００１６】
図中、符号１２は、レーザ光源１１から発せられた照明光を平面波に変換するコリメータレンズ、符号５１はダイクロイックミラー、符号７１，７２，７３は、それぞれ第１〜第３のリレー光学系、符号７４は結像レンズ、符号５２は集光レンズ、符号６１はコントローラをそれぞれ示している。
【００１７】
図１において、光源としてのレーザー光源１１から発せられた照明光は、コリメータレンズ１２によって平面波に変換され、ダイクロイックミラー５１を透過した後に、形状可変ミラー２２に入射させられる。形状可変ミラー２２は、反射面の形状を電気的制御によって制御可能なミラーである。照明光は、この形状可変ミラー２２において、後述する所定の波面変換が行われた後に第１のリレー光学系７１に入射させられる。第１のリレー光学系は、その前側焦平面が形状可変ミラー２２とほぼ一致するように配置されている。第１のリレー光学系７１を透過した光束は、次に第２のリレー光学系７２を透過し、その後側焦平面に配置されている光束走査手段３に入射する。ここで、第１のリレー光学系７１と第２のリレー光学系７２とは、第１のリレー光学系７１の後側焦平面と第２のリレー光学系７２の前側焦平面とがほぼ一致するように配置されている。このため、光束走査手段３と形状可変ミラー２２とは共役な面となる。
【００１８】
光束走査手段３はｘ，ｙの２つの軸回りに回転可能なジンバルミラーからなる。このジンバルミラーによって、入射光束の向きを適切に変更することで、試料面に入射する光束をｘ，ｙ方向に走査できるようになっている。
【００１９】
光束走査手段３で特定の角度に反射された光束は、第３のリレー光学系７３に入射させられる。その後、結像レンズ７４に入射させられ、最後に対物レンズ４を透過させられることで、試料に照明光であるレーザ光束が集光させられる。ここで、光束走査手段３、第３のリレー光学系７３、結像レンズ７４、対物レンズ４と試料はテレセントリックな光学系で形成され、それぞれの前側焦平面と後側焦平面がほぼ同一となるようになっている。
【００２０】
試料が蛍光色素で染色されている場合、レーザ光束が集光した試料からは蛍光が発せられる。また、レーザ光束の反射光も生じる。これらの光は照明光束が通ってきた光路と同じ光路を逆向きに進む。すなわち、試料から、対物レンズ４、結像レンズ７４、第３のリレー光学系７３、光束走査手段３、第２のリレー光学系７２、第１のリレー光学系７１と通過し、形状可変ミラー２２で反射される。
形状可変ミラー２２で反射された光束は、ダイクロイックミラー５１において、検出すべき特定の波長の蛍光のみが反射され、集光レンズ５２に入射させられる。集光レンズ５２の後側焦平面には検出器５３が配置されているので、検出器５３には目的とする波長の反射光束が検出されるようになっている。
【００２１】
本実施形態で用いた第１のリレー光学系７１、第２のリレー光学系７２、第３のリレー光学系７３および結像レンズ７４、対物レンズ４のスペックは以下の通りである。また、それらの光学系を図２に示す。特に、対物レンズ４については図３に示す。
【００２２】
（第１実施形態における光学系のデータ）
r1=∞ (ミラー)     d1=50
r2=-25.631      d2=10          nd1=1.4874    ν1=70.2
r3=-164.105     d3=10          nd2=1.8061    ν2=40.95
r4=-659.797     d4=40
r5=∞(中間像)   d5=40
r6=659.7975     d6=10          nd3=1.8061    ν3=40.95
r7=164.1045     d7=10          nd4=1.4874    ν4=70.2
r8=25.63101     d8=50
r9=∞ (ミラー)     d9=37.3651
r10=1212.995    d10=5          nd5=1.8051    ν5=25.44
r11=57.36292    d11=15.1608    nd6=1.6584    ν6=50.86
r12=-61.0926    d12=0.4
r13=62.28262    d13=12.26901   nd7=1.7352    ν7=41.08
r14=-553.53     d14=7.822072
r15=106.5274    d15=8          nd8=1.8051    ν8=25.44
r16=32.42464    d16=5.825666
r17=41.53822    d17=12.35056   nd9=1.6031    ν9= 60.7
r18=502.3809    d18=16.76495r19=∞ (中間像) d19=157.1352
r20=-40.6619    d20=3.0298     nd10=1.6445   ν10=40.82
r21=50.71       d21=6.0238     nd11=1.834    ν11=37.16
r22=-84.3099    d22=0.6973
r23=102.8477    d23=3.4742     nd12=1.8061   ν12=40.95
r24=37.5679     d24=7.7321     nd13=1.4874   ν13=70.2
r25=-68.7541    d25=192.2649
r26=∞ (仮想面) d26=25.8253
r27=6.2506      d27=2.5        nd14=1.58144  ν14=40.75
r28=-52.3711    d28=4.4943     nd15=1.50378  ν15=66.81
r29=2.88        d29=1.6475
r30=-3.2217     d30=4.5641     nd16=1.52944  ν16=51.72
r31=4.0244      d31=4          nd17=1.497    ν17=81.1
r32=-10.2367    d32=0.9834
r33=-29.9783    d33=1          nd18=1.59551  ν18=39.29
r34=7.0332      d34=5.2        nd19=1.43875  ν19=94.97
r35=-4.9117     d35=1.6666     nd20=1.7865   ν20=50
r36=-11.7215    d36=0.4583
r37=55.5525     d37=3.55       nd21=1.56907  ν21=71.3
r38=-11.7026    d38=0.15
r39=15.047      d39=3.8257     nd22=1.43875  ν22=94.97
r40=-38.5186    d40=1          nd23=1.7865   ν23=50
r41=8.3387      d41=4.5        nd24=1.497    ν24=81.1
r42=-14.0213    d42=0.25
r43=8.8777      d43=2.3        nd25=1.56907  ν25=71.3
r44=22.9988     d44=0.2
r45=4.8697      d45=2.8313     nd26=1.7865   ν26=50
r46=4.7504      d46=1.6786     nd27=1.51633  ν27=64.15
r47=∞          d47=2.00275    nd29=1.33304  ν29=55.79
r48=∞ (物体面)
【００２３】
また、本実施形態において波面変換素子として採用している形状可変ミラー２２は、光学系のデータにおいてｒ１で示されているミラーである。この形状可変ミラー２２の反射面の形状Ｚ（ｘ，ｙ）は、次の数１に示すような自由曲面として表される。
【００２４】
【数１】
0004694538.tif 000002
【００２５】
次に、形状可変ミラー２２の動作方法について具体的に説明する。光源１１から発せられたレーザ光の波長を４８８ｎｍとし、焦点位置を基準位置からΔＺだけ移動させ、その位置において形状可変ミラー２２の形状を最適にした場合を考える。そして、この状態において、焦点位置（集光位置）に形成された光スポットが持つ収差量を、指標としてＳｔｒｅｈｌ比を用いて示すことにする。図４〜図６では、Ｓｔｒｅｈｌ比を、物体高との関係で示している。ここで、ΔＺの符号は、基準位置より対物レンズに近づく方向をマイナス、遠ざかる方向をプラスにとっている。ここで、基準位置とは対物レンズの設計時における物体側焦点位置である。また、形状可変ミラーの最適な形状を図７〜図９に示す。図７〜図９において、レーザ光束はｚ，ｙ平面内でｚ軸に対して−４５度の方向から入射するものとする。
【００２６】
図４は、ΔＺ＝０μｍ（基準位置）において、物体高が０ｍｍの位置で波面収差が最小となるように形状可変ミラー２２を最適化した場合のＳｔｒｅｈｌ比（波面収差変化）を示している。この図によれば、−０．０７５ｍｍ〜０．０７５ｍｍの範囲（物体高）において、Ｓｔｒｅｈｌ比が８５％以上である。よって、この範囲では良好な画像を取得できることが確認できる。
【００２７】
一方、ΔＺ＝−１０μｍの位置におけるＳｔｒｅｈｌ比について、図５に示す。ここで、物体高が０ｍｍの位置で波面収差が最小となるように形状可変ミラー２２の面形状を最適化する（第１設定状態）と、物体高の絶対値が大きくなるにつれてＳｔｒｅｈｌ比の低下が生じる。この場合、Ｓｔｒｅｈｌ比が８５％以上の範囲は、−０．０６５ｍｍ〜０．０６５ｍｍの範囲であり、ΔZ＝０μｍの場合より狭くなる。そのため、このような面形状のままだと、ΔＺ＝−１０μｍの位置において、ΔＺ＝０μｍのときと同じ範囲（物体高）で良好な画像を獲得することができない。
そこで、物体光が０ｍｍ以外の位置で、形状可変ミラー２２の面形状を変化させることにする。例えば、物体高が０．０７ｍｍの位置において波面収差が最小になるように形状可変ミラー２２の面形状の最適化を行う（第２設定状態）と、Ｓｔｒｅｈｌ比が８５％以上の領域は、０．０８〜０．０１ｍｍの範囲となる。
一方、物体高が−０．０７ｍｍの位置において波面収差が最小となるように形状可変ミラー２２の面形状の最適化を行う（第３設定状態）と、Ｓｔｒｅｈｌ比が８５％以上の領域は−０．０８〜−０．０１ｍｍの範囲となる。
したがって、ΔＺ＝−１０μｍの場合には、形状可変ミラー２２の面形状を−０．０８ｍｍ〜−０．０２ｍｍの範囲では第３設定状態、−０．０２ｍｍ〜０．０２ｍｍの範囲では第１設定状態、０．０２ｍｍ〜０．０８ｍｍの範囲では第２設定状態にすればよい。このように、各範囲に対して形状可変ミラー２２の面形状を最適化する動作を各１回、合計３回行えばよい。このようにすることで、物体高として−０．０８ｍｍ〜０．０８ｍｍの範囲について良好な（収差の少ない）画像を獲得することができる。上記範囲は、ΔＺ＝０μｍのときよりも広いので、ΔＺ＝０μｍのときと同じ物体高（範囲）で良好な画像を獲得することができる。
【００２８】
さらに、ΔＺ＝−２５μｍの位置におけるＳｔｒｅｈｌ比について、図６に示す。ここで、物体高が０ｍｍの位置で波面収差が最小となるように形状可変ミラー２２の面形状を最適化する（第１設定状態）と、物体高の絶対値が大きくなるに従ってＳｔｒｅｈｌ比の低下が生じる。この場合、Ｓｔｒｅｈｌ比が８５％以上の範囲は、−０．０４５ｍｍ〜０．０４５ｍｍの範囲であり、ΔZ＝０μｍの場合より狭くなる。そのため、このような面形状のままだと、ΔＺ＝−２５μｍの位置において、ΔＺ＝０μｍのときと同じ範囲（物体高）で良好な画像を獲得することができない。
そこで、物体光が０ｍｍ以外の位置で、形状可変ミラー２２の面形状を変化させることにする。例えば、物体高が０．０７ｍｍの位置において波面収差が最小になるように形状可変ミラー２２の面形状の最適化を行う（第２設定状態）と、Ｓｔｒｅｈｌ比が８５％以上の領域は、０．０４５ｍｍ〜０．０８ｍｍの範囲となる。一方、物体高が−０．０７ｍｍの位置において波面収差が最小となるように形状可変ミラー２２の面形状の最適化を行う（第３設定状態）と、Ｓｔｒｅｈｌ比が８５％以上の領域は−０．０８ｍｍ〜−０．０４５ｍｍの範囲となる。
したがって、ΔＺ＝−２５μｍの場合には、形状可変ミラー２２の面形状を−０．０８ｍｍ〜−０．０４５ｍｍの範囲では第３設定状態、−０．０４５ｍｍ〜０．０４５ｍｍの範囲では第１設定状態、０．０４５ｍｍ〜０．０８ｍｍの範囲では第２設定状態にすればよい。このように、各範囲に対して形状可変ミラー２２の面形状を最適化する動作を各１回、合計３回行えばよい。このようにすることで、物体高として−０．０８ｍｍ〜０．０８ｍｍの範囲について良好な（収差の少ない）画像を獲得することができる。上記範囲は、ΔＺ＝０μｍのときよりも広いので、ΔＺ＝０μｍのときと同じ物体高（範囲）で良好な画像を獲得することができる。
本実施形態に係る走査型光学顕微鏡で用いた形状可変ミラー２２の自由曲面のパラメータを表１〜表３に示す。
【００２９】
【表１】
0004694538.tif 000003
【００３０】
【表２】
0004694538.tif 000004
【００３１】
【表３】
0004694538.tif 000005
【００３２】
さらに、本実施形態において、第１のリレー光学系７１を構成するレンズの少なくとも１つを光軸方向に沿って移動させる等のズーム機構を設けると、デフォーカス成分を減少させることが可能となる。その結果、形状可変ミラー２２と組み合わせることによって、収差がより補正された画像を獲得することが可能となる。
【００３３】
また、本実施形態で用いた形状可変ミラー２２は、図７〜図９に示すように、ミラーの中心部が固定され、周辺部が変形するタイプの形状可変ミラーである。
しかしながら、後述するように、ミラーの周辺部が固定され、中心部が変形するタイプの形状可変ミラーも用いることができる。周辺が固定された形状可変ミラーの場合でも、補正する収差量は中心固定のものと同様であるので、当然、最適な表面の形状は図７〜図９に示した形状と近いものとなる。
【００３４】
本実施形態のように形状可変ミラー２２に対して斜めに光束を入射させる場合、光線が反射する方向（図中のｙ方向）における変位量は、ミラーの中心から一端に向かう方向（第１方向）と、中心から他端に向かう方向（第２方向）とで異なる。なお、第１方向と第２方向は正反対の方向である。例えば、ΔＺ＝−２５μｍ（図９）において物体高０ｍｍで最適化した場合、形状可変ミラー２２の変位量は、ｙ＝−１．２ｍｍの位置において０．００７５７ｍｍである。また、ｙ＝１．２ｍｍの位置における形状可変ミラー２２の変位量は、０．００７９６ｍｍとなる。このことから、ｙ軸方向に沿って形状可変ミラー２２の変位量が異なることが判る。
【００３５】
前述のように、周辺固定タイプの形状可変ミラー２２の場合には、周辺ではミラーの形状が変化しない。そのため、上述のように第１方向と第２方向とで変位量が異なる場合には、各々の方向でのｙ方向の変位する領域が異なるようにミラーの形状を作成しておけば、形状可変ミラー２２のｚ方向の変位量も少なくてすむ。一例として、図１０に、ΔＺ＝−２５μｍの場合に、周辺固定タイプの形状可変ミラー２２を用いた場合を示す。この例では、ミラーの変化領域が、ｘ方向に−１．２ｍｍ〜１．２ｍｍ、ｙ方向に−１．６ｍｍ〜１．６ｍｍの範囲である場合と、ｘ方向に−１．２ｍｍ〜１．２ｍｍ、ｙ方向に−１．６ｍｍ〜１．５ｍｍの範囲である場合の２つの場合についての形状可変ミラー２２の形状を示す。
また、その場合のＳｔｒｅｈｌ比と物体高との関係を図１１に示す。なお、曲面形状の係数は表４に示す通りである。
【００３６】
【表４】
0004694538.tif 000006
【００３７】
図１０の（ｂ），（ｃ）により、ｙ方向の変化領域の両端の絶対値が異なるように設定することで、形状可変ミラー２２の変位量を小さくすることが可能となることが判る。一方、性能に関しては物体高が大きい領域での劣化が見られるが、形状可変ミラー２２の変位量が小さい分、製造も容易であり、またその制御も容易になる。
【００３８】
（第２の実施形態）
次に、本発明の第２実施形態に係る走査型光学顕微鏡について、図１２〜図１８を参照して以下に説明する。本実施形態に係る走査型光学顕微鏡は、図１２に示されるように、第１実施形態に係る走査型光学顕微鏡と比較して、第１のリレー光学系７１および第２のリレー光学系７２の代わりに、第１および第２のミラー光学系７５，７６を用いている点において相違している。このように構成することで、構成要素を簡潔にし、なおかつ第１のリレー光学系７１と第２のリレー光学系７２を用いることにより生じていた色収差をなくすことができる。
【００３９】
したがって、第３のリレー光学系７３および結像レンズ７４、対物レンズ４のスペックは第１実施形態と同じである。第１および第２のミラー光学系７５，７６のスペックを表５に示す。
【００４０】
【表５】
0004694538.tif 000007
【００４１】
第１実施形態と同様に、光源としてのレーザー光源１１から発せられた照明光はコリメータレンズ１２によって平面波に変換され、形状可変ミラー２２に入射させられる。その反射面においては、後述する所定の波面変換が行われる。波面変換が行われた光束は、次にその前側焦平面が形状可変ミラー２２にほぼ一致する位置に配置された第１のミラー光学系７５に入射させられる。
【００４２】
第１のミラー光学系７５において反射された光束は、次に第２のミラー光学系７６において反射され、その後側焦平面に配置された光束走査手段３に入射させられる。ここで、第１のリレー光学系７５の後側焦平面と第２のリレー光学径７６の前側焦平面とがほぼ一致するように配置されている。したがって、光束走査手段３と形状可変ミラー２２とは共役な位置関係となっている。
【００４３】
この後の光束走査手段３以降については第１実施形態と同様の作用となる。なお、本実施形態では基準となるＳｔｒｅｈｌ比として第１実施形態ほど高性能ではないが、顕微鏡として性能を満足する８０％に設定している。
本実施形態に係る走査型光学顕微鏡において、使用波長を４８８ｎｍとし、第１実施形態と同様に焦平面を変化させた場合の、波面収差と物体高との関係について図１３〜図１５に示す。図１３は、ΔＺ＝０μｍの場合であり、この場合には軸上で波面収差が少なくなるように形状可変ミラー２２を変形すると、物体高として−０．０７ｍｍ〜０．０７ｍｍの範囲でＳｔｒｅｈｌ比が８０％以上であることが判り、この範囲内では良好な画像を獲得することができる。
【００４４】
一方、図１４に示すようにΔＺ＝−１０μｍの位置で、軸上の波面収差が最小となるように形状可変ミラー２２の調整を行うと、Ｓｔｒｅｈｌ比が８０％以上となる範囲は、物体高−０．０６〜０．０６ｍｍの範囲となり、精度良く観察可能な範囲が狭められる。そこで、物体高−０．０７ｍｍにおいて波面収差が最小となるように形状可変ミラー２２の形状を補正すると、Ｓｔｒｅｈｌ比が８５％以上の有効な範囲は、−０．０８ｍｍ〜−０．０２ｍｍ程度までとなる。同様に物体高０．０７ｍｍの位置において波面収差が最小となるように形状可変ミラー２２の面形状を補正すると、物体高０．０２ｍｍ〜０．０８ｍｍの範囲が、Ｓｔｒｅｈｌ比８５％以上の有効な領域となる。したがって、形状可変ミラー２２の形状を３回変化させることで、−０．０８〜０．０８ｍｍの全域にわたって、Ｓｔｒｅｈｌ比が８０％以上の良好な画像を獲得することができる。
【００４５】
さらに、ΔＺ＝−２５μｍの位置に対しては、図１５に示すように、軸上で波面収差が最適となるよう形状可変ミラー２２の形状の補正を行うと、Ｓｔｒｅｈｌ比が８０％以上を満足する物体高の範囲は−０．０５ｍｍ〜０．０５ｍｍの範囲と狭くなる。しかし、物体高が−０．０７ｍｍの位置で波面収差が最適となるように形状可変ミラー２２を最適化すると、−０．０８ｍｍ〜−０．０４ｍｍの領域がＳｔｒｅｈｌ比が８０％以上となり、同様に物体高が０．０７ｍｍの位置で波面収差が最適となるように形状可変ミラー２２を最適化すると、０．０４ｍｍ〜０．０８ｍｍの領域でＳｔｒｅｈｌ比が８０％以上となる。したがって、−０.０８ｍｍ〜０.０８ｍｍの範囲を走査する際に形状可変ミラー２２の形状を３回以上変形することで、全領域にわたってＳｔｒｅｈｌ比が８５％以上の良好な画像を獲得することができる。また、本実施形態での形状可変ミラー２２の形状を図１６〜図１８に、その場合の形状可変ミラー２２の形状を表す数１の係数をそれぞれ表６〜表８に示す。
【００４６】
【表６】
0004694538.tif 000008
【００４７】
【表７】
0004694538.tif 000009
【００４８】
【表８】
0004694538.tif 000010
【００４９】
図１９に本実施形態の変形例について示す。図１９の変形例は、第２実施形態と比較すると、第２のミラー光学系７６の代わりに第２の波面変換素子としての形状可変ミラー２３を用いている点において異なる。このように形状可変ミラー２２，２３を２枚用いると制御が煩雑になる可能性があるが、収差補正能力を大きく向上させることが可能となる。さらに、開口絞り８１を第１のミラー光学系７５と形状可変ミラー２３との間に配置することで、ＮＡは小さくなるものの、収差の大きな軸外光をカットできる。したがって、形状可変ミラー２２の制御を容易にすることも可能となる。
【００５０】
なお、上記実施形態では、波面変換素子として、電気的な信号でその反射面の形状を制御可能な形状可変ミラー２２，２３を例に挙げて説明したが、その他の液晶やフォトリフラクティブ結晶等の位相変調可能な素子も適用可能であることは明らかである。
【図面の簡単な説明】
【００５１】
【図１】この発明の第１の実施形態に係る走査型光学顕微鏡を示す模式図である。
【図２】図１の走査型光学顕微鏡の一部の光学系を示す光路図である。
【図３】図１の走査型光学顕微鏡の対物レンズを示す光路図である。
【図４】ΔＺ＝０μｍとして、形状可変ミラーを最適化した場合のＳｔｒｅｈｌ比の変化を示す図である。
【図５】ΔＺ＝−１０μｍとして、形状可変ミラーを最適化した場合のＳｔｒｅｈｌ比の変化を示す図である。
【図６】ΔＺ＝−２５μｍとして、形状可変ミラーを最適化した場合のＳｔｒｅｈｌ比の変化を示す図である。
【図７】ΔＺ＝０μｍの場合の中心固定した形状可変ミラーの形状を示す（ａ）斜視図、（ｂ）ｘ方向断面図および（ｃ）ｙ方向断面図である。
【図８】ΔＺ＝−１０μｍの場合の中心固定した形状可変ミラーの形状を示す（ａ）斜視図、（ｂ）ｘ方向断面図および（ｃ）ｙ方向断面図である。
【図９】ΔＺ＝−２５μｍの場合の中心固定した形状可変ミラーの形状を示す（ａ）斜視図、（ｂ）ｘ方向断面図および（ｃ）ｙ方向断面図である。
【図１０】周辺固定した形状可変ミラーの形状を示す（ａ）斜視図、（ｂ）ｘ方向断面図および（ｃ）ｙ方向断面図である。
【図１１】図１０の形状可変ミラーにおける物体高とＳｔｒｅｈｌ比との関係を示す図である。
【図１２】この発明の第２の実施形態に係る走査型光学顕微鏡を示す模式図である。
【図１３】ΔＺ＝０μｍとして、形状可変ミラーを最適化した場合のＳｔｒｅｈｌ比の変化を示す図である。
【図１４】ΔＺ＝−１０μｍとして、形状可変ミラーを最適化した場合のＳｔｒｅｈｌ比の変化を示す図である。
【図１５】ΔＺ＝−２５μｍとして、形状可変ミラーを最適化した場合のＳｔｒｅｈｌ比の変化を示す図である。
【図１６】ΔＺ＝０μｍの場合の中心固定した形状可変ミラーの形状を示す（ａ）斜視図、（ｂ）ｘ方向断面図および（ｃ）ｙ方向断面図である。
【図１７】ΔＺ＝−１０μｍの場合の中心固定した形状可変ミラーの形状を示す（ａ）斜視図、（ｂ）ｘ方向断面図および（ｃ）ｙ方向断面図である。
【図１８】ΔＺ＝−２５μｍの場合の中心固定した形状可変ミラーの形状を示す（ａ）斜視図、（ｂ）ｘ方向断面図および（ｃ）ｙ方向断面図である。
【図１９】図１２の走査型光学顕微鏡の変形例を示す模式図である。
【図２０】従来の走査型光学顕微鏡の構成を示す模式図である。
【図２１】図２０の走査型光学顕微鏡の制御構成を示す図である。
【符号の説明】
【００５２】
３  光束走査手段（光走査手段）  ４  対物レンズ  １１  レーザ光源（光源）  ２２  形状可変ミラー（波面変換素子）  ２３  形状可変ミラー（第２の波面変換素子）  ５３  検出器  ７１，７２，７３，７５，７６  リレー光学系（伝送光学系）  ８１  開口絞り
【図１】
0004694538.tif 000011
【図２】
0004694538.tif 000012
【図３】
0004694538.tif 000013
【図４】
0004694538.tif 000014
【図５】
0004694538.tif 000015
【図６】
0004694538.tif 000016
【図７】
0004694538.tif 000017
【図８】
0004694538.tif 000018
【図９】
0004694538.tif 000019
【図１０】
0004694538.tif 000020
【図１１】
0004694538.tif 000021
【図１２】
0004694538.tif 000022
【図１３】
0004694538.tif 000023
【図１４】
0004694538.tif 000024
【図１５】
0004694538.tif 000025
【図１６】
0004694538.tif 000026
【図１７】
0004694538.tif 000027
【図１８】
0004694538.tif 000028
【図１９】
0004694538.tif 000029
【図２０】
0004694538.tif 000030
【図２１】
0004694538.tif 000031